(57)【要約】【課題】発表者の意図する色の画像を表示することができる画像表示システムを提供する。【解決手段】発表者用の第１の画面とは別の第２の画面に画像を表示する画像表示システムは、表示装置１とカラーセンサ装置５を有している。カラーセンサ装置５は第１の画面に表示された所定色を測定し、測定結果の色情報を表示装置２に送る。表示装置２は、第２の画面に出力する画像の色情報を、カラーセンサ装置５から送られてきた色情報に近づけるように補正する。【選択図】図１
2008058613.tif 000002
【特許請求の範囲】
【請求項１】
第１の画面に表示された画像を第２の画面に表示する画像表示システムであって、
前記第１の画面に所定色を表示させたときの色を示す第１の色情報を取得するカラーセンサ装置と、
前記第２の画面へ前記所定色の画像を表示させるための第２の色情報を、前記第１の色情報に近づけるように補正して前記第２の画面に画像を表示する表示装置と、を有する画像表示システム。
【請求項２】
請求項１に記載の画像表示システムにおいて、
前記表示装置は、
前記第１の色情報が示す色が前記第２の画面が表示できる色の範囲内であれば、前記第２の色情報を、前記第１の色情報に一致させるように補正し、
前記第１の色情報が示す色が前記第２の画面が表示できる色の範囲外であれば、前記第２の色情報を、色相が前記第１の色情報と一致し、かつ彩度が表示できる領域内で最大となるように補正する、画像表示システム。
【請求項３】
請求項１または請求項２記載の画像表示システムにおいて、
前記カラーセンサ装置は、前記第１の色情報をＲＧＢ信号により取得し、
前記表示装置は、前記ＲＧＢ信号の前記第１の色情報を色度座標に変換したうえで前記第２の色情報の補正処理を行い、その結果得られた色度座標をＲＧＢ信号に変換して前記第２の画面に画像を表示させる画像表示システム。
【請求項４】
請求項３に記載の画像表示システムにおいて、
前記表示装置は、複数の所定色について前記第２の色情報の補正を行う、画像表示システム。
【請求項５】
請求項４に記載の画像表示システムにおいて、
前記表示装置は、
複数の所定色の１つとして白を表示させ、白以外の所定色の第２の色情報を補正する際には、色度座標平面上での前記白の第１の色情報の座標から補正を行う色の前記第１の色情報の座標に引いた直線上であって彩度が最大となる座標に移動させる画像表示システム。
【請求項６】
請求項３ないし請求項５のいずれかに記載の画像表示システムにおいて、
前記表示装置は、
複数の所定色として白、赤、緑、青を用い、これらを表示させたときの各色度座標を色度座標平面にプロットしたときに白以外で形成される第１の三角形と、表示できる色の領域を示す第２の三角形を記憶する記憶部と、
前記第１の画面に前記補正対象色の中の白を表示させたときの前記第１の色情報の座標を中心として前記第１の三角形を縮小し、該縮小三角形の各頂点が前記第２の三角形に含まれるときの前記縮小三角形の各頂点の色度座標を求め、前記第１の三角形内における前記第２の色情報の各頂点に対する相対的な位置を、前記縮小三角形内における各頂点との相対的な位置と等しい座標とする色補正部とを有する、画像表示システム。
【請求項７】
請求項１ないし請求項６のいずれかに記載の画像表示システムにおいて、
前記カラーセンサ装置と前記表示装置は相互に無線通信が可能であり、
前記カラーセンサ装置は、取得した前記色情報を保持し、無線通信で前記表示装置に送信する、画像表示システム。
【請求項８】
第１の画面に表示された画像を第２の画面に表示する画像表示方法であって、
前記第１の画面に所定色を表示させたときの色を示す第１の色情報を取得し、
前記第２の画面へ前記所定色の画像を表示させるための第２の色情報を、前記第１の色情報に近づけるように補正して前記第２の画面に画像を表示する、画像表示方法。
【請求項９】
請求項８に記載の画像表示方法において、
前記第１の色情報が示す色が前記第２の画面が表示できる色の範囲内であれば、前記第２の色情報を、前記第１の色情報に一致させるように補正し、
前記第１の色情報が示す色が前記第２の画面が表示できる色の範囲外であれば、前記第２の色情報を、色相が前記第１の色情報と一致し、かつ彩度が表示できる領域内で最大となるように補正する、画像表示方法。
【請求項１０】
請求項８または請求項９記載の画像表示方法において、
前記第１の色情報をＲＧＢ信号とし、
前記ＲＧＢ信号の前記第１の色情報を色度座標に変換したうえで前記第２の色情報の補正処理を行い、その結果得られた色度座標をＲＧＢ信号に変換して前記第２の画面に画像を表示させる、画像表示方法。
【請求項１１】
請求項１０に記載の画像表示方法において、
複数の所定色について前記第２の色情報の補正を行う、画像表示方法。
【請求項１２】
請求項１１に記載の画像表示方法において、
複数の所定色の１つとして白を表示させ、白以外の所定色の第２の色情報を補正する際には、色度座標平面上での前記白の第１の色情報の座標から補正を行う色の前記第１の色情報の座標に引いた直線上であって彩度が最大となる座標に移動させる画像表示方法。
【請求項１３】
請求項１０ないし請求項１２に記載の画像表示方法において、
複数の所定色として白、赤、緑、青を用い、これらを表示させたときの各色度座標を色度座標平面にプロットしたときに白以外で形成される第１の三角形と、表示できる色の領域を示す第２の三角形を記憶し、
前記第１の画面に前記補正対象色の中の白を表示させたときの前記第１の色情報の座標を中心として前記第１の三角形を縮小し、該縮小三角形の各頂点が前記第２の三角形に含まれるときの前記縮小三角形の各頂点の色度座標を求め、前記第１の三角形内における前記第２の色情報の各頂点に対する相対的な位置を、前記縮小三角形内における各頂点との相対的な位置と等しい座標とする、画像表示方法。
【請求項１４】
第１の画面に表示された画像を第２の画面に表示する表示装置であって、
前記第２の画面への画像の表示に用いる第２の色情報を、前記第１の画面に所定色を表示させたときの色を示す第１の色情報に近づけるように補正して前記第２の画面に画像を表示する、表示装置。
【請求項１５】
請求項１４に記載の表示装置において、
前記表示装置は、
前記第１の色情報が示す色が前記第２の画面が表示できる色の範囲内であれば、前記第２の色情報を、前記第１の色情報に一致させるように補正し、
前記第１の色情報が示す色が前記第２の画面が表示できる色の範囲外であれば、前記第２の色情報を、色相が前記第１の色情報と一致し、かつ彩度が表示できる領域内で最大となるように補正する、表示装置。
【請求項１６】
請求項１４または請求項１５記載の表示装置において、
前記第１の色情報をＲＧＢ信号として、
前記表示装置は、該ＲＧＢ信号の前記第１の色情報を色度座標に変換したうえで前記第２の色情報の補正処理を行い、その結果得られた色度座標をＲＧＢ信号に変換して前記第２の画面に画像を表示させる表示装置。
【請求項１７】
請求項１６に記載の表示装置において、
前記表示装置は、複数の所定色について前記第２の色情報の補正を行う、画像表示装置。
【請求項１８】
請求項１７に記載の画像表示システムにおいて、
前記表示装置は、
複数の所定色の１つとして白を表示させ、白以外の所定色の第２の色情報を補正する際には、色度座標平面上での前記白の第１の色情報の座標から補正を行う色の前記第１の色情報の座標に引いた直線上であって彩度が最大となる座標に移動させる表示装置。
【請求項１９】
請求項１６ないし請求項１８のいずれかに記載の表示装置において、
前記表示装置は、
複数の所定色として白、赤、緑、青を用い、これらを表示させたときの各色度座標を色度座標平面にプロットしたときに白以外で形成される第１の三角形と、表示できる色の領域を示す第２の三角形を記憶する記憶部と、
前記第１の画面に前記補正対象色の中の白を表示させたときの前記第１の色情報の座標を中心として前記第１の三角形を縮小し、該縮小三角形の各頂点が前記第２の三角形に含まれるときの前記縮小三角形の各頂点の色度座標を求め、前記第１の三角形内における前記第２の色情報の各頂点に対する相対的な位置を、前記縮小三角形内における各頂点との相対的な位置と等しい座標とする色補正部とを有する、表示装置。
【発明の詳細な説明】
【技術分野】
【０００１】
本発明は、画像を画面に表示する画像表示システムに関し、特に、画像表示システムにより表示される画像の色相を補正する技術に関する。
【背景技術】
【０００２】
プロジェクタからスクリーンや壁など（以下「投射面」という）に投射される画像は様々な要因による影響を受ける。例えば、投射面のある部屋が明るければ、投射面に表示される画像はコントラストが著しく低下し、鮮明に表示されないことがある。
【０００３】
また、一般的に投射面として用いられるスクリーンは白色であるが、壁などは白色とは限らない。通常、プロジェクタは白色のスクリーンに画像を投射することを前提としているため、白色以外の色の投射面を用いると、画像が所望の色で表示されないことがある。
【０００４】
特許文献１は、投射面に表示された画像の色が所望の色の見えとなるように、プロジェクタから出力する色を変換する技術を開示している。特許文献１のプロジェクタシステムは、プロジェクタ、投射面、カラーセンサ、および色補正装置を有している。
【０００５】
まず、プロジェクタは、色補正装置から与えられた、基準となる所定の色の光（以下「色光」）を投射面に投射する。
【０００６】
次に、カラーセンサはプロジェクタから出力された色光の投射面からの反射光を受けて、その反射光の色情報を取得し、色補正装置に送信する。色情報はＲＧＢ成分の各成分強度やＲＧＢ成分をＸＹＺ情報に色変換した情報を含む。
【０００７】
色補正装置は、プロジェクタで出力に用いられた所定の色の色情報とカラーセンサから受信した色情報とから、投射面上の色の見えを元の色と一致させるための色変換データを生成する。そして、プロジェクタから投射面に入力画像を投射するとき、色補正装置は、色変換データに基づいて色を補正した入力画像をプロジェクタに与える。プロジェクタは色補正装置からの色が補正された入力画像を投射面に表示する。これにより、投射面の壁の色や外光による物理的な影響を低減し、安定した色の画像を表示できる。
【特許文献１】特開２００３−３２３６１０号公報
【発明の開示】
【発明が解決しようとする課題】
【０００８】
通常、発表者はパーソナルコンピュータ（以下「パソコン」という）のモニタを見ながらプレゼンテーションの画像を作成する。そして、発表者は、パソコンのモニタを見ながら、投射面に画像を表示させてプレゼンテーションを行う。そのため、モニタで表示されている色は自分の意図した色と一致している。
【０００９】
しかしながら、ノート型パーソナルコンピュータ（以下「ノートパソコン）という）のＬＣＤ（Ｌｉｑｕｉｄ  Ｃｒｉｓｔａｌ  Ｄｉｓｐｌａｙ）モニタやデスクトップ型パソコンのＣＲＴ（Ｃａｔｈｏｄｅ  Ｒａｙ  Ｔｕｂｅ）モニタなどモニタによって色にばらつきがあり、パソコンのモニタに表示される色と投射面に表示される色は必ずしも一致しなかった。そのため、特許文献１の方法で、プロジェクタに与えられる色光の色情報を基準として、プロジェクタから出力される色を調整しても、投射面に表示される画像の色がモニタに表示されている色と一致せず発表者の意図する色になるとは限らなかった。
【００１０】
本発明の目的は、発表者の意図する色の画像を表示することができる画像表示システムを提供することにある。
【課題を解決するための手段】
【００１１】
第１の画面に表示された画像を第２の画面に表示する画像表示システムであって、
前記第１の画面に所定色を表示させたときの色を示す第１の色情報を取得するカラーセンサ装置と、
前記第２の画面へ前記所定色の画像を表示させるための第２の色情報を、前記第１の色情報に近づけるように補正し、補正後の第３の色情報を用いて前記第２の画面に画像を表示する表示装置と、を有する。
【００１２】
本発明によれば、カラーセンサ装置は第１の画面に表示された所定色を測定し、測定結果の色情報を表示装置に送る。表示装置は、第２の画面に出力する画像の色情報を、カラーセンサ装置から送られてきた色情報に近づけるように補正する。これにより、発表者が意図する色の画像を表示することができる。
【００１３】
また、前記カラーセンサ装置と前記表示装置は相互に無線通信が可能であり、前記カラーセンサ装置は、取得した前記色情報を保持し、無線通信で前記表示装置に送信する。
【００１４】
本発明によれば、発表会場と表示装置の設置場所が異なっているときでも、表示装置から投射される色を前記第１の画面に表示される色に容易に補正できる。
【発明の効果】
【００１５】
本発明によれば、発表者の意図する色の画像を表示することができる。
【発明を実施するための最良の形態】
【００１６】
本発明を実施するための形態について図面を参照して詳細に説明する。
【００１７】
図１は、本実施形態の画像表示システムの構成を示す模式図である。本画像表示システムは、スクリーン１、表示装置２、ノートパソコン３、画像用ケーブル４、カラーセンサ５、およびカラーケーブル６を有している。
【００１８】
スクリーン１は、表示装置２から投射された画像を表示する投射面である。この例では投射面として専用のスクリーン１が用いられているが、壁などで代用してもよい。
【００１９】
表示装置２は、画像用ケーブル４でノートパソコン３と接続されており、ノートパソコン３から送られてきた画像をスクリーン１に投射する。また、表示装置２は自身の色情報をカラーセンサ５で取得した色情報に近づくように補正する。
【００２０】
ノートパソコン３は、画像用ケーブル４で表示装置２と接続されており、自身のモニタ画面に画像を表示させると共に、同じ画像を画像用ケーブル４を介して表示装置２に送る。本システムによる色の補正は色補正用のテストパタンを用いて行われる。色の補正を行うとき、ノートパソコン３は、テストパタンの画像を画面に表示させると共に表示装置２に送る。
【００２１】
テストパタンの色として、赤（以下「Ｒ」という）、緑（以下「Ｇ」という）、青（以下「Ｂ」という）、水色（以下「Ｃ」という）、紫色（以下「Ｍ」という）、黄色（以下「Ｙ」という）、または白（以下「Ｗ」という）が用いられる。
【００２２】
ノートパソコン３のモニタ画面上に表示されたテストパタンの画像の色はカラーセンサ５によって読み取られる。この例では、モニタ画面上に全てのテストパタンの色を同時に表示するが、一色ずつ順番にテストパタンの各色を画面に表示させるようにしてもよい。
【００２３】
一般的に、色は、彩度、明度、色相の３つの要素からなる。彩度とは色の鮮やかさを表し、明度とは色の明るさを表し、色相とは赤、青、緑と言った色みを表す。
【００２４】
カラーセンサ５は、カラーケーブル６で表示装置２と接続されており、取得した色情報を表示装置２に送る。カラーセンサ５は、ノートパソコン３の画面上に表示されているテストパタンの色（Ｒ、Ｇ、Ｂ、Ｃ、Ｍ、Ｙ、Ｗ）を一色ずつ順次測定し、得られた色情報を表示装置２に送る。
【００２５】
図２は、表示装置２の構成を示すブロック図である。表示装置２は、Ａ／Ｄ（Ａｎａｌｏｇｕｅ／Ｄｉｇｉｔａｌ）変換部２１，２２，２３、制御部２４、記憶部２５、白色補正部２６、および色補正部２７を有している。
【００２６】
Ａ／Ｄ変換部２１，２２，２３はアナログ信号をデジタル信号に変換する。カラーセンサ５からＡ／Ｄ変換部２１，２２，２３へ与えられる色情報はＲＧＢ（Ｒｅｄ−Ｇｒｅｅｎ−Ｂｌｕｅ）の三原色で表現されたアナログ信号である。Ａ／Ｄ変換部２１，２２，２３は、カラーセンサ５からのアナログ信号の色情報（Ｒ２１ａ、Ｇ２２ａ、Ｂ２３ａ）をデジタル信号の色情報（ＲＤ２１ｂ、ＧＤ２２ｂ、ＢＤ２３ｂ）に変換して制御部２１に出力する。
【００２７】
制御部２４は、Ｗ補正用にＷのマトリックス係数を算出し、色補正用にテストパタンの各色（Ｒ、Ｇ、Ｂ、Ｃ、Ｍ、Ｙ、Ｗ）の色度座標（ｘ、ｙ）を算出する。そして、制御部は、Ｗのマトリックス係数と各色（Ｒ、Ｇ、Ｂ、Ｃ、Ｍ、Ｙ、Ｗ）の色度座標（ｘ、ｙ）とを記憶部２５に記録する。記憶部２５に記録されたＷのマトリックス係数は白補正部２６によるＷの補正に用いられる。また、記憶部２５に記録された各色の色度座標は色補正部２７による各色の補正に用いられる。
【００２８】
まず、Ｗのマトリックス係数の算出について説明する。
【００２９】
制御部２４はＡ／Ｄ変換部２１，２２，２３から得たＷの成分強度の値を８ビットに変換する。ここで、８ビットで表現される成分強度の最大値は十進数では２５５となる。制御部２４は、ＲＤ２１ｂ、ＧＤ２２ｂ、ＢＤ２３ｂの成分強度を比較し、成分強度が最大の成分を見つけ、その最大の成分強度が２５５となるような値を各成分ＲＤ２１ｂ、ＲＤ２２ｂ、ＲＤ２３ｂに乗算することにより、各成分の成分強度の値を８ビットに変換する。
【００３０】
例えば、ＲＤ２１ｂの成分強度が５００、ＧＤ２２ｂの成分強度が４５０、ＢＤ２３ｂの成分強度が４８０であれば、ＲＤ２１ｂの成分強度が最大でその値はＲＤ＝５００である。そして、ＲＤ＝２５５となるように変換すると、ＲＤ＝５００×（２５５／５００）＝２５５、ＧＤ＝４５０×（２５５／５００）＝２３０、ＢＤ＝４８０×（２５５／５００）＝２４５となる。変換した各値はＷのマトリックス係数として記憶部２５に記録される。
【００３１】
次に、テストパタンの各色（Ｒ、Ｇ、Ｂ、Ｃ、Ｍ、Ｙ、Ｗ）の色度座標（ｘ、ｙ）の算出について説明する。
【００３２】
制御部２４は、テストパタンの各色について、デバイス依存的なＲＧＢで表現された色情報をデバイス非依存的な三刺激値ＸＹＺの色情報に変換する。ＲＧＢからＸＹＺへの変換には、式（１）、式（２）、および式（３）が用いられる。
【００３３】
【数１】
2008058613.tif 000003
【００３４】
また、制御部２４は、式（１）、（２）、（３）によって得られた三刺激値Ｘ、Ｙ、Ｚを式（４）、（５）に代入し、色度座標（ｘ、ｙ）を算出する。このように算出されたテストパタンの各色の色度座標（ｘ、ｙ）は記憶部２５に記録される。
【００３５】
【数２】
2008058613.tif 000004
【００３６】
さらに、制御部２４は、記憶部２５からＷのマトリックス係数を読み込んで白色補正部２６に送り、Ｒ、Ｇ、Ｂ、Ｃ、Ｍ、Ｙ、Ｗの色度座標（ｘ、ｙ）を読み込んで色補正部２７に送る。
【００３７】
記憶部２５は、制御部２４で算出されたＷのマトリックス係数を記憶するとともに、テストパタン（Ｒ、Ｇ、Ｂ、Ｃ、Ｍ、Ｙ、Ｗ）の各色の色度座標（ｘ、ｙ）を記憶する。
【００３８】
白色補正部２６は、表示装置２のＷの色相を、ノートパソコン３のモニタ画面に表示されたテストパタンのＷの色相に一致させるように補正する。白色補正部２６は、表示装置２のＷのＲ成分、Ｇ成分、Ｂ成分を、式（７）に示した行列演算によって変換し、得られた結果をＷの補正後Ｒ成分（Ｒ’成分）、補正後Ｇ成分（Ｇ’成分）、補正後Ｂ（Ｂ’成分）とする。白色補正部２６は、これらの計算を行うことによりＷのＲＧＢの各成分の値を調整し、Ｗを補正する。補正を行うと、Ｒ成分、Ｇ成分、Ｂ成分は、各々のレベルで調整されるため、明度は下がる。
【００３９】
なお、算出されたＲ’成分、Ｇ’成分、Ｂ’成分のいずれかの成分強度が２５５を越える場合、成分強度の最大値が２５５となるようにＲ’成分、Ｇ’成分、Ｂ’成分の各成分強度を補正する。その際、白色補正部２６はマトリックス係数を最大値２５５で除算しておいてもよい。それにより、Ｒ’成分、Ｇ’成分、Ｂ’成分の成分強度を、８ビットで表現できる０から２５５の範囲内の値にすることができる。
【００４０】
また、ＲＤ２１ｂの成分強度、ＧＤ２２ｂの成分強度、ＢＤ２３ｂの成分強度が全て等しい場合には、マトリックス係数はそれぞれＲＤ＝２５５、ＧＤ＝２５５、ＢＤ＝２５５となり、白色の補正が必要ない。
【００４１】
【数３】
2008058613.tif 000005
【００４２】
色補正部２７は、表示装置２のＷ以外の各色（Ｒ、Ｇ、Ｂ、Ｃ、Ｍ、およびＹ）の色相を、ノートパソコン３のモニタ画面に表示されたテストパタンの色相に一致させるように補正する。色補正部２７は、制御部２４によって色度座標（ｘ、ｙ）に変換された表示装置２のＲ、Ｇ、Ｂ、Ｃ、Ｍ、およびＹの色情報のそれぞれの色度座標（ｘ、ｙ）をテストパタンの対応するＲ、Ｇ、Ｂ、Ｃ、Ｍ、およびＹの色度座標（ｘ、ｙ）に移動させた後にＲＧＢの表現に戻すことにより、表示装置２の各色の色相の補正を行う。
【００４３】
制御部２４は、記憶部２５で記憶されているＲ、Ｇ、Ｂ、Ｃ、Ｍ、Ｙ、Ｗの色度座標（ｘ、ｙ）を取得して色補正部２７に送る。色補正部２７は、制御部２４から受けたＷ以外の各色の色度座標（ｘ、ｙ）を、テストパタンの対応する色度座標（ｘ、ｙ）に移動させる。さらに、色補正部２７は、移動後の色度座標（ｘ、ｙ）の値を式（４）、式（５）、式（６）の逆関数に代入し、Ｘ、Ｙ、Ｚを算出する。そして、色補正部２７は、算出したＸ、Ｙ、Ｚを式（８）式（９）、式（１０）に代入することにより、Ｒ成分、Ｇ成分、およびＢ成分からなるＲＧＢ表現に戻す。
【００４４】
【数４】
2008058613.tif 000006
【００４５】
図３は、表示装置２の動作を示すフローチャートである。まず、ノートパソコン３は自身の画面上に色補正用のテストパタンを表示する（ステップ１００）。カラーセンサ５は、ノートパソコン３の画面上に表示されたテストパタンの各色を測定し、各色の色情報を表示装置２に送る（ステップ１０１）。
【００４６】
表示装置２のＡ／Ｄ変換部２１，２２，２３はカラーセンサ５から送られてきたアナログ信号の色情報をデジタル信号の色情報に変換して制御部２４に送る（ステップ１０２）。
【００４７】
制御部２４は、Ａ／Ｄ変換部２１，２２，２３からの色情報がＷを示すものか否かを判定する（ステップ１０３）。Ｗであると判定すると、制御部２４は、Ｗのマトリックス係数を算出するとともに、ＲＧＢ表現の色情報を三刺激値ＸＹＺに変換し、得られたＸＹＺから色度座標（ｘ、ｙ）を算出する（ステップ１０４）。そして、制御部２４は、Ｗのマトリックス係数と色度座標（ｘ、ｙ）を記憶部２５に記録する（ステップ１０５）。
【００４８】
ステップ１０３の処理で、Ｗでないと判定すると、制御部２４は、ＲＧＢ表現の色情報をＸＹＺに変換し、得られたＸＹＺから色度座標（ｘ、ｙ）を算出する（ステップ１０６）。制御部２４は色度座標（ｘ、ｙ）を記憶部２５に記録する（ステップ１０７）。
【００４９】
テストパタンの全ての色の測定が終了するまで、ステップ１０１からステップ１０４の処理を繰り返す（ステップ１０８）。
【００５０】
テストパタンの全ての色の測定が終了すると、制御部２４は記憶部２５からＷのマトリックス係数を読み出し、白色補正部２６に送る（ステップ１０９）。白色補正部２６は、マトリックス係数と、表示装置のＷのＲ成分、Ｇ成分、Ｂ成分を用いて、式（７）の行列演算をし、ＷのＲ成分、Ｇ成分、Ｂ成分の補正値を算出する（ステップ１１０）。Ｗの表示にこの補正値を用いれば、スクリーン１に投射したＷをノートパソコン３のモニタ画面上のＷと一致させることができる。
【００５１】
続いて、制御部２４は、記憶部２５からテストパタンのＲ、Ｇ、Ｂ、Ｃ、Ｍ、Ｙ、Ｗの全ての色度座標（ｘ、ｙ）を読み出し、色補正部２７に送る（ステップ１１１）。色補正部２７は、テストパタンのＲ、Ｇ、Ｂ、Ｃ、Ｍ、Ｙ、Ｗの色度座標（ｘ、ｙ）を用いて、表示装置２のＲ、Ｇ、Ｂ、Ｃ、Ｍ、Ｙの色情報を補正する（ステップ１１２）。その補正の処理として、色補正部２７は、表示装置２のＷ以外の各色（Ｒ、Ｇ、Ｂ、Ｃ、Ｍ、Ｙ）の色度座標（ｘ、ｙ）を制御部２４から受けると、色度座標平面状で、表示装置２での色情報をテストパタンの色情報に近づけるように補正する。続いて、色補正部２７は、補正後のＲ、Ｇ、Ｂ、Ｃ、Ｍ、Ｙの色情報を、色度座標（ｘ、ｙ）からＲＧＢ表現に戻す。この補正により、表示装置２のＲ、Ｇ、Ｂ、Ｃ、Ｍ、Ｙの色がテストパタンの色に近づく。
【００５２】
図４は、本実施形態におけるテストパタンの表示画面の例を示す図である。ノートパソコン３の画面には、テストパタンが表示されている。テストパタンは、赤色表示４１、緑色表示４２、青色表示４３、水色表示４４、紫色表示４５、黄色表示４６、および白色表示４６を含んでいる。カラーセンサ５は、テストパタンの各色表示４１〜４６の色情報を取得し、表示装置２に送る。
【００５３】
図５は、本実施形態におけるカラーセンサ５での測定方法の一例を説明するための図である。ノートパソコン３の画面には、カラーセンサの赤色表示４１、緑色表示４２、青色表示４３、水色表示４４、紫色表示４５、黄色表示４６、および白色表示４６が表示されている。図５には、テストパタン用に表示された白色表示３７の色情報をカラーセンサ５で測定している様子が一例として示されている。例えば、テストパタンの赤の色情報を測定するとき、ユーザは赤色表示３１の部分にカラーセンサ５を向けて測定する。カラーセンサ５で得られた色情報はカラーセンサ５からカラーケーブル６を通じて表示装置２に送られる。
【００５４】
図６は、カラーセンサ５で測定される色の、波長に対する成分の分布の一例を示すグラフである。図６では、横軸を波長とし、縦軸を色強度としている。
【００５５】
図６に示された色情報の波形にはＲ成分６７、Ｇ成分６６、およびＢ成分６５が含まれている。Ｒ成分６７のピーク波長が波長６２であり、Ｇ成分６６のピーク波長が波長６１であり、Ｂ成分６５のピーク波長が波長６０である。したがって、波長６２での色強度がＲ成分の成分強度である。また、波長６１での色強度がＧ成分の成分強度である。波長６０での色強度がＢ成分の成分強度である。これらのＲ成分の成分強度、Ｇ成分の成分強度、Ｂ成分の成分強度のそれぞれが表示装置２のＡ／Ｄ変換部２１，２２，２３に入力される。
【００５６】
以下に、本実施形態の画像表示システムによる補正の具体例について説明する。
【００５７】
図７は、本実施形態における色度図Ｙｘｙのグラフの一例を示す図である。色度図は、色度座標（ｘ、ｙ）を平面で表現した図である。図７には、Ｒ、Ｇ、Ｂ、Ｃ、Ｍ、Ｙ、Ｗの各色について、表示装置２の元来の色度座標と補正後の色度座標が示されている。補正が無ければ表示装置２によって表示される元来の色度座標が“Ｘ”で示され、ノートパソコン３の画面に表示されたテストパタンの色を測定した色度座標が“○”で示されている。
【００５８】
図７の例では、テストパタンの色度領域７０が表示装置２の色度領域７１に含まれている。表示装置２の色度領域７１は、表示装置２が表示できる色の範囲を示しており、表示装置２の表示可能な色の各色度座標（図７の“Ｘ”）を含む三角形で表される。一方、テストパタンの色度領域７０は、カラーセンサ５で測定されたＲ、Ｇ、Ｂ、Ｃ、Ｍ、Ｙの色度座標をその内面積が最大となるような三角形で表される。色度座標（ｘ、ｙ）では、Ｗの色度座標を中心として内側よりも外側は彩度が高い。
【００５９】
テストパタンのＷを測定して得られた座標７３は、表示装置２の色度領域７１に含まれているので、表示装置２の元来のＷを示す座標７２をテストパタンのＷの座標７３に一致させるような補正が可能である。表示装置２の元来のＷを示す座標７２をテストパタンのＷを測定して得られた座標７３と一致させる補正は、元来のＷを示す座標７２に対して式（７）の行列演算を行うことである。
【００６０】
テストパタンのＲ、Ｇ、Ｂ、Ｃ、Ｍ、Ｙの測定結果を示す座標Ｒ７４、Ｇ７５、Ｂ７６、Ｃ７７、Ｍ７８、Ｙ７９は全て表示装置２の色度領域７１内にあるので、色補正部２６において、表示装置２の元来の色を、テストパタンの測定結果と一致させるような補正が可能である。その補正により、三角形の内側の方向に色度座標が移動する（中心に近づく）ため彩度は多少低下するが、ノートパソコン３の画面に表示される色相と一致した色を投射することができる。
【００６１】
図８は、本実施形態における色度図Ｙｘｙのグラフの他の例を示す図である。図８の例では、テストパタンの色度領域７０には表示装置２の色度領域７１に含まれていない部分がある。図８には、Ｒ、Ｇ、Ｂ、Ｃ、Ｍ、Ｙの各色について、表示装置２の元来の色度座標と補正後の色度座標が示されている。補正がなければ表示装置２によって表示される元来の色度座標が“Ｘ”で示され、ノートパソコン３の画面に表示されたテストパタンの色を測定した色度座標が“○”で示されている。そして、表示装置２の元来の色度座標“Ｘ”を、テストパタンの色度座標“○”に近づけるように補正した色度座標が“□”で示されている。
【００６２】
表示装置２は、自装置の色度領域７１に含まれている色を投射することはできるが、自装置の色度領域７１に含まれていない色を投射することはできない。ノートパソコン３のモニタ画面に表示された色と一致していないからといって、表示装置２の元来の色を、表示装置２の表示できないテストパタンの色に補正しても意味がない。そのため、ここでは、表示装置２は色度領域７１に含まれない色に変換するような補正を禁止する。
【００６３】
テストパタンのＷを測定して得られた座標７３は、表示装置２の色度領域７１に含まれているので、表示装置２の元来のＷを示す座標７２と一致させるような補正が可能である。表示装置２の元来のＷを示す座標７２を、テストパタンのＷを測定して得られた座標７３と一致させる補正は、元来のＷを示す座標７２に対して式（６）の行列演算を行うことである。
【００６４】
表示装置２は、自装置の元来のＲ、Ｇ、Ｂ、Ｃ、Ｍ、Ｙを、テストパタンのＲ、Ｇ、Ｂ、Ｃ、Ｍ、Ｙに一致させるように補正するのが好ましいが、表示装置２の色度領域７１外に変換するような補正はできないので、以下のような方法で補正する。
【００６５】
テストパタンを測定した色度座標が表示装置２の色度領域７１外にある場合の例として、図８に示されているＧの補正について説明する。表示装置２がＧの色を補正しようとするとき、テストパタンのＷを示す座標７３からテストパタンのＧを示す座標７５へ直線を引く。そして、表示装置２は、その直線と自装置の色度領域７１を示す三角形の辺との交点を見つけ、元来のＧをその交点の座標８７に移動させるように補正する。
【００６６】
また、テストパタンの色度領域７１内にある場合の例として、図８に示されているＭの補正について説明する。テストパタンのＭを測定した色度座標７８が表示装置２の色度領域７１内にあるため、表示装置２がＭを補正するとき、表示装置２元来の色を、テストパタンの色と一致させるように補正することができる。
【００６７】
他の色についてもＧまたはＭのいずれかと同様に補正する。
【００６８】
また、表示装置２がテストパタンに該当しない色（ここではＸ色とする）を出力するときの表示装置２の補正例を示す。ここでは一例としてＸ色の色相がＧの色相とＣの色相の間にあるとする。そこで、ＧとＣの間のＸ色の色相の補正量は、ＧとＣの間で色相の補正量の変化が直線的となるように比例計算によって求める。また、ＧとＣの間のＸ色の彩度の補正量は、テストパタンＷの座標７３からテストパタンの色度領域の限界までの彩度の補正量の変化が直線的となるように比例計算によって求める。
【００６９】
表示装置２は、表示装置２の元来のＧの座標８１を補正後のＧの座標８７に移動したときの色相差、表示装置２の元来のＣ８３の座標を補正後のＣの座標に移動したときの色相差に基づいて所定の角度だけＸ色の座標を回転させる。
【００７０】
次に、表示装置２は、テストパタン色度領域７０の辺から表示装置２の色度領域７１までの補正量と、テストパタンのＷの座標と回転後のＸ色の座標との距離と、テストパタンのＷの座標からテストパタン７０の色度領域７０までの距離と、を算出する。そして、表示装置２は、比例計算することにより回転後のＸ色の補正量を算出し、その補正量によりＸ色の座標を求める。
【００７１】
表示装置２は、補正した座標を式（４）、式（５）、式（６）の逆関数に代入し、Ｘ、Ｙ、Ｚを算出して式（８）式（９）、式（１０）に代入することにより、Ｒ成分、Ｇ成分、およびＢ成分からなるＲＧＢ表現に戻す。
【００７２】
以上説明したように、本実施形態によれば、カラーセンサ５はノートパソコン３の画面上に表示されたテストパタンの色を測定し、測定結果の色情報を表示装置２に送る。表示装置２は、投射する画像の色情報を、カラーセンサ５から送られてきた色情報に近づけるように補正する。プロジェクタから出力された色情報を基準とするのではなく、ノートパソコン３のモニタ画面を基準とした補正がされるので、発表者が意図する色の画像を投射することができる。
【００７３】
なお、本実施例では、テストパタンを測定した色度座標が表示装置２の色度領域７１外にある場合、表示装置２がＧの色を補正しようとするとき、テストパタンのＷを示す座標７３からテストパタンのＧを示す座標７５へ直線を引き補正する例を示したが、本発明はこれに限定されるものではない。他の例として、テストパタンのＷの座標７３を中心としてテストパタンの色度領域７０の示す三角形が表示装置の色度領域７１の示す三角形に含まれるように縮小してもよい。この場合、テストパタンの色度領域７０の示す三角形を縮小すると、縮小後のテストパタンのＧの座標、縮小後のテストパタンのＢの座標、縮小後のテストパタンのＲの座標の頂点が表示装置の色度座標７１の示す三角形の１辺と交わる。縮小を続けると、テストパタンのＧの座標、テストパタンのＢの座標、テストパタンのＲの座標の全てが表示装置の色度領域７１の示す三角形に含まれるようになる。これによりテストパタンの所定の色が表示装置の所定の色として出力できる。
【００７４】
また、本実施形態ではプロジェクタからスクリーンに投射される画像の色を補正する例を示したが、本発明はこれに限定されるものではない。他の例として、プラズマディスプレイのような大型表示デバイスにも適用することができる。
【００７５】
また、本実施形態では、表示装置とカラーセンサをカラーケーブルで接続し、カラーセンサで測定した色情報を表示装置に送る例を示したが、本発明はこれに限定されるものではない。他の例として、カラーセンサで測定した色情報を赤外線や無線で表示装置２に送るようにしてもよい。その場合、表示装置に付属しているリモートコントローラ（以下「リモコン」という）にカラーセンサの機能を搭載し、リモコンで測定した色情報を表示装置に送る。
【００７６】
これによれば、発表会場と表示装置の設置場所が異なっているときでも、表示装置から投射される色をノートパソコンのモニタ画面上に表示される色に容易に補正できる。
【図面の簡単な説明】
【００７７】
【図１】本実施形態の画像表示システムの構成を示す模式図である。
【図２】表示装置２の構成を示すブロック図である。
【図３】表示装置２の動作を示すフローチャートである。
【図４】本実施形態におけるテストパタンの表示画面の例を示す図である。
【図５】本実施形態におけるカラーセンサ５での測定方法の一例を説明するための図である。
【図６】カラーセンサ５で測定される色の、波長に対する成分の分布の一例を示すグラフである。
【図７】本実施形態における色度図Ｙｘｙのグラフの一例を示す図である。
【図８】本実施形態における色度図Ｙｘｙのグラフの他の例を示す図である。
【符号の説明】
【００７８】
１    スクリーン
２    表示装置
３    ノートパソコン
４    画像用ケーブル
５    カラーセンサ
６    カラーケーブル
２１，２２，２３  Ａ／Ｄ変換部
２４  制御部
２５  記憶部
２６  白色補正部
２７  色補正部
１００〜１１２  ステップ
【図１】
2008058613.tif 000007
【図２】
2008058613.tif 000008
【図３】
2008058613.tif 000009
【図４】
2008058613.tif 000010
【図５】
2008058613.tif 000011
【図６】
2008058613.tif 000012
【図７】
2008058613.tif 000013
【図８】
2008058613.tif 000014